(57)【要約】      （修正有）【課題】震災や台風などの災害に見舞われた場合を考慮して、多くの人々が集まる職場などに備えるに適したタオルと軍手とで構成される製品を提供する。【解決手段】直方体形状に圧縮固化され、平面形状が定形用紙の大きさとほぼ等しく、少なくとも、一枚のタオル５と一組の軍手６とで構成されるペアを、適宜の態様で複数組み合わせて形成したペア群３を、複数並べて構成される製品本体２と、外装である包装材７とを設けて構成する。【選択図】図１
0003180613.tif 000002
【実用新案登録請求の範囲】
【請求項１】
直方体形状に圧縮固化され，平面形状が定形用紙の大きさとほぼ等しい備蓄用の製品であって、少なくとも，一枚のタオル（５）と一組の軍手（６）とで構成されるペア（４）を，適宜の態様で複数組み合わせて形成したペア群（３）を，複数並べて構成される製品本体（２）と、外装である包装材７と、を備える備蓄用圧縮固化製品。
【請求項２】
直方体形状に圧縮固化され，平面形状が定形用紙であるＡ４用紙の大きさとほぼ等しい備蓄用の製品であって、一枚のタオル（５）と一組の軍手（６）とで構成されるペア（４）を，前記タオル毎および軍手毎に複数組み合わせて形成したペア群（３）を，複数並べて構成される製品本体（２）と、外装として前記製品本体を密に覆う包装材（７）と、を備えて構成され、前記製品本体を第一ペア群（３ａ）と第二ペア群（３ｂ）とで構成し、前記第一ペア群を，八枚重ねたタオル（５）を，長手方向に等間隔で設定した第一折り目（Ｆ１）と第二折り目（Ｆ２）で折ることによって，上段層（Ｕ）と中段層（Ｍ）と下段層（Ｌ）を形成した八枚タオル群（５１）と，前記八枚タオル群の上段層と中段層との間，または中段層と下段層との間に，四組ずつに分けて並列に載置された八組の軍手（６）とで構成し、前記第二ペア群を，前記第一ペア群の上または下に配置され，七枚重ねたタオルを，長手方向に等間隔で設定した第一折り目と第二折り目で折ることによって，上段層と中段層と下段層を形成した七枚タオル群（５２）と，前記七枚タオル群の上段層と中段層との間，または中段層と下段層との間に，四組と三組とに分けて並列に載置された七組の軍手とで構成したことを特徴とする備蓄用圧縮固化製品。
【請求項３】
直方体形状に圧縮固化され，平面形状が定形用紙であるＡ４用紙の大きさとほぼ等しい備蓄用の製品であって、一枚のタオル（５）と一組の軍手（６）とで構成されるペア（４）を，該ペア毎に複数組み合わせて形成したペア群（３）を，複数並べて構成される製品本体（２）と、前記製品本体を覆う一枚のバスタオル（８）と、外装材として前記バスタオルを密に覆う包装材（７）と、を備えて構成され、前記製品本体を三つのペア群（３）で構成し、前記ペア群を五つのペアで構成し、前記ペアを，一枚のタオルを長手方向の中心で三回折って八層構造の折畳みタオル（５ａ）とし，該折畳みタオルに一組の軍手（６）を短尺方向に並列に配置した後，前記折畳みタオルの短尺方向の両端部をその中心に合わせるように折ることによって形成したことを特徴とする備蓄用圧縮固化製品。
【請求項４】
直方体形状に圧縮固化され，平面形状が定形用紙であるＢ４用紙の大きさとほぼ等しい備蓄用の製品であって、一枚のタオル（５）と一組の軍手（６）とで構成されるペア（４）を，前記タオル毎および軍手毎に複数組み合わせて形成したペア群（３）を，複数並べて構成される製品本体（２）と、外装として前記製品本体を密に覆う包装材（７）と、を備えて構成され、前記製品本体を二つのペア群で構成し、前記各ペア群を，十枚重ねたタオルを，長手方向に等間隔で設定した第一折り目（Ｆ１）と第二折り目（Ｆ２）で折ることによって，上段層（Ｕ）と中段層（Ｍ）と下段層（Ｌ）を形成した十枚タオル群（５３）と，前記十枚タオル群の上段層と中段層との間，または中段層と下段層との間に，四組と二つの三組とに分けて並列に載置された十組の軍手とで構成したことを特徴とする備蓄用圧縮固化製品。
【請求項５】
直方体形状に圧縮固化され，平面形状が定形用紙であるＢ４用紙の大きさとほぼ等しい備蓄用の製品であって、一枚のタオル（５）と一組の軍手（６）とで構成されるペア（４）を，該ペア毎に複数組み合わせて形成したペア群（３）を，複数並べて構成される製品本体（２）と、前記製品本体を覆う一枚のバスタオル（８）と、外装として前記バスタオルを密に覆う包装材（７）と、を備えて構成され、前記製品本体を三つまたは四つのペア群で構成し、前記ペア群を六つまたは五つのペアで構成し、前記ペアを，一枚のタオルを長手方向の中心で二回折って四層構造の折畳みタオル（５ａ）とし，該折畳みタオルに一組の軍手を重ねた状態で長尺方向の中心部に配置した後，前記折畳みタオルの短尺方向の両端部をその中心に合わせるように折ることによって形成したことを特徴とする備蓄用圧縮固化製品。
【考案の詳細な説明】
【技術分野】
【０００１】
本考案は、通常は圧縮状態で備蓄され、震災や台風等の災害に見舞われた際に、圧縮状態を解除して使用することのできるタオルと軍手で構成された備蓄用の圧縮固化製品に関するものである。
【背景技術】
【０００２】
震災や台風等の災害に見舞われた際、その場所にとどまざるを得ない場合がある。そうした状況下にあっては、タオルは例えば洗顔などに必要であり、軍手は災害の後片付けなどを行うための必需品である。
【０００３】
災害に見舞われた場所が自宅などの住居であれば、通常、そうしたタオルや軍手が備えられているので問題は少ない。しかし、その場所が住居以外の職場などの場合には十分な量のタオルや軍手を備えていないのが通常である。従って、例えば、その職場にとどまざるを得ない場合には洗顔するにも不自由であり、後片付けも思うようにはかどらない結果となる。
【０００４】
本考案の考案者は、これまでに貯えた圧縮技術（例えば、特許文献１参照）を利用してこうした状況を打開することのできる製品の開発に取り組んだ。
【先行技術文献】
【特許文献】
【０００５】
【特許文献１】実用新案登録第３１４３９３７号
【考案の概要】
【考案が解決しようとする課題】
【０００６】
すなわち、本考案の考案者が先に創案した特許文献１に記載の製品は携帯の利便性を目的とした小型で単体の製品であり、個人の持ち運びには極めて便利であるものの、この製品をそのままの状態で多くの人々が集まる職場などに、災害に備えて備蓄するには必ずしも好適であるとは言えない。
【０００７】
本考案はこうした問題に鑑み創案されたもので、主として、震災や台風などの災害に見舞われた場合を考慮して、多くの人々が集まる職場などに備えるに適したタオルと軍手とで構成される製品を提供することを課題とする。
【課題を解決するための手段】
【０００８】
図１乃至図９を参照して説明する。請求項１に記載の備蓄用圧縮固化製品１は、直方体形状に圧縮固化され、平面形状が定形用紙の大きさとほぼ等しく、少なくとも、一枚のタオル５と一組の軍手６とで構成されるペア４を、適宜の態様で複数組み合わせて形成したペア群３を、複数並べて構成される製品本体２と、外装である包装材７と、を備える。
【０００９】
請求項２に記載の備蓄用圧縮固化製品１は、直方体形状に圧縮固化され、平面形状が定形用紙であるＡ４用紙の大きさとほぼ等しく、一枚のタオル５と一組の軍手６とで構成されるペア４を、前記タオル５毎および軍手６毎に複数組み合わせて形成したペア群３を、複数並べて構成される製品本体２と、外装として前記製品本体２を密に覆う包装材７と、を備えて構成される。
【００１０】
この製品１は、前記製品本体２を第一ペア群３ａと第二ペア群３ｂとで構成している。また、前記第一ペア群３ａを、八枚重ねたタオル５を、長手方向に等間隔で設定した第一折り目Ｆ１と第二折り目Ｆ２で折ることによって、上段層Ｕと中段層Ｍと下段層Ｌを形成した八枚タオル群５１と、前記八枚タオル群５１の上段層Ｕと中段層Ｍとの間、または中段層Ｍと下段層Ｌとの間に、四組ずつに分けて並列に載置された八組の軍手６とで構成している。
【００１１】
そして、前記第二ペア群３ｂを、前記第一ペア群３ａの上または下に配置され、七枚重ねたタオル５を、長手方向に等間隔で設定した第一折り目Ｆ１と第二折り目Ｆ２で折ることによって、上段層Ｕと中段層Ｍと下段層Ｌを形成した七枚タオル群５２と、前記七枚タオル群５２の上段層Ｕと中段層Ｍとの間、または中段層Ｍと下段層Ｌとの間に、四組と三組とに分けて並列に載置された七組の軍手６とで構成している。
【００１２】
請求項３に記載の備蓄用圧縮固化製品１は、直方体形状に圧縮固化され、平面形状が定形用紙であるＡ４用紙の大きさとほぼ等しく、一枚のタオル５と一組の軍手６とで構成されるペア４を、そのペア４毎に複数組み合わせて形成したペア群３を、複数並べて構成される製品本体２と、前記製品本体２を覆う一枚のバスタオル８と、外装材として前記バスタオル８を密に覆う包装材７と、を備えて構成される。
【００１３】
また、前記製品本体２を三つのペア群３で構成し、前記ペア群３のそれぞれを五つのペア４で構成している。そして、前記ペア４を、一枚のタオル５を長手方向の中心で三回折って八層構造の折畳みタオル５ａとし、その折畳みタオル５ａに一組の軍手６を短尺方向に並列に配置した後、前記折畳みタオル５ａの短尺方向の両端部をその中心に合わせるように折ることによって形成している。
【００１４】
請求項４に記載の備蓄用圧縮固化製品１は、直方体形状に圧縮固化され、平面形状が定形用紙であるＢ４用紙の大きさとほぼ等しく、一枚のタオル５と一組の軍手６とで構成されるペア４を、前記タオル５毎および軍手６毎に複数組み合わせて形成したペア群３を、複数並べて構成される製品本体２と、外装として前記製品本体２を密に覆う包装材７と、を備えて構成される。
【００１５】
また、前記製品本体２を二つのペア群３で構成し、前記ペア群３のそれぞれを、十枚重ねたタオル５を、長手方向に等間隔で設定した第一折り目Ｆ１と第二折り目Ｆ２で折ることによって、上段層Ｕと中段層Ｍと下段層Ｌを形成した十枚タオル群５３と、前記十枚タオル群５３の上段層Ｕと中段層Ｍとの間、または中段層Ｍと下段層Ｌとの間に、四組と二つの三組とに分けて並列に載置された十組の軍手６とで構成している。
【００１６】
請求項５に記載の備蓄用圧縮固化製品１は、直方体形状に圧縮固化され、平面形状が定形用紙であるＢ４用紙の大きさとほぼ等しく、一枚のタオル５と一組の軍手６とで構成されるペア４を、そのペア４毎に複数組み合わせて形成したペア群３を、複数並べて構成される製品本体２と、前記製品本体２を覆う一枚のバスタオル８と、外装として前記バスタオル８を密に覆う包装材７と、を備えて構成される。
【００１７】
また、前記製品本体２を三つまたは四つのペア群３で構成し、前記ペア群３を六つまたは五つのペア４で構成している。さらに、前記ペア４を、一枚のタオル５を長手方向の中心で二回折って四層構造の折畳みタオル５ａとし、その折畳みタオル５ａに一組の軍手６を重ねた状態で長尺方向の中心部に配置した後、前記折畳みタオル５ａの短尺方向の両端部をその中心に合わせるように折ることによって形成している。
【００１８】
なお、製品本体２を三つのペア群３で構成し、当該ペア群３を六つのペア４で構成した場合には、二つのペア４を加えて二十枚のタオル５と二十組の軍手６を備える製品１とすることができる。
【考案の効果】
【００１９】
請求項１に記載の備蓄用圧縮固化製品１は、直方体形状に圧縮固化され、平面形状が定形用紙（Ａ４用紙やＢ４用紙など）の大きさとほぼ等しいのでコンパクトである。従って、例えば、職場の書棚や机の中に、他のＡ４サイズやＢ４サイズの書類と一緒に並べて備蓄することができ、これにより、不意に襲ってくる震災や台風などの災害に対応することができる。
【００２０】
また、この製品１は一枚のタオル５と一組の軍手６で構成されるペア４を複数設けて構成されるので、一つの製品１で複数人に対応することができる。従って、特に職場などの多くの人が集まる場所に備えるのに最適である。
【００２１】
さらに、この製品１は外装である包装材７を備えるので、タオル５と軍手６を傷めたり汚すことなく長期にわたって良好に保存することができる。
【００２２】
請求項２に記載の備蓄用圧縮固化製品１は、請求項１に記載の考案と同様の効果を発揮する。また、この製品１は、製品本体２を第一ペア群３ａと第二ペア群３ｂとで構成し、第一ペア群３ａを八枚のタオル５と八組の軍手６で構成し、第二ペア群３ｂを七枚のタオル５と七組の軍手６で構成しているので１５人の使用に対応することができる。従って、この製品１を例えば二つ備えておくのみで、３０人という大人数の使用に対応することができる。
【００２３】
請求項３に記載の備蓄用圧縮固化製品１は、請求項１に記載の考案と同様の効果を発揮する。また、この製品１は、十五枚のタオル５と十五組の軍手６の他にバスタオル８を備えるので、このバスタオル８を例えばブランケットとして使用するなど、タオル５では対応が困難な状況において適宜使用することができる。
【００２４】
請求項４に記載の備蓄用圧縮固化製品１は、請求項１に記載の考案と同様の効果を発揮する。また、この製品１は二十枚のタオル５と二十組の軍手６で構成されるので、少ない備蓄数で、より多くの人の使用に対応することができる。
【００２５】
請求項５に記載の備蓄用圧縮固化製品１は、請求項１に記載の考案と同様の効果を発揮する。また、この製品１は二十枚のタオル５と二十組の軍手６で構成されるので、請求項４に記載の考案と同様に、少ない備蓄数で、より多くの人の使用に対応することができる。
【図面の簡単な説明】
【００２６】
【図１】本考案に係る備蓄用圧縮固化製品の第一および第三実施形態を示す斜視図である。
【図２】図１のＸ−Ｘ線断面図である。
【図３】本考案に係る備蓄用圧縮固化製品の第二および第四実施形態を示す斜視図である。
【図４】図２のＹ−Ｙ線断面図である。
【図５】本考案の第一実施形態における製品の製造過程を示す参考説明図である。
【図６】図５のＺ−Ｚ線断面図である。
【図７】本考案の第二実施形態における製品の製造過程を示す参考説明図である。
【図８】本考案の第三実施形態における製品の製造過程を示す参考説明図である。
【図９】本考案の第四実施形態における製品の製造過程を示す参考説明図である。
【考案を実施するための形態】
【００２７】
本考案に係る備蓄用圧縮固化製品１の第一実施形態を、図１、図２、図５および図６に示す。この製品１は、直方体形状に圧縮固化され、平面形状が定形用紙であるＡ４用紙の大きさとほぼ等しく形成されており、製品本体２と包装材７を備える。
【００２８】
製品本体２は、一枚のタオル５と一組の軍手６とで構成されるペア４を、タオル５毎および軍手６毎に複数組み合わせて形成したペア群３を、二つ上下に並べて構成されるものであり、本実施形態のペア群３は、第一ペア群３ａと第二ペア群３ｂとで構成される。なお、ここで使用するタオル５の大きさは８５ｃｍ×３４ｃｍである。
【００２９】
第一ペア群３ａは、八枚タオル群５１と八枚の軍手６とで構成される。八枚タオル群５１は、タオル５を八枚重ね、それを長手方向に沿って等間隔で設定した第一折り目Ｆ１と第二折り目Ｆ２で折ることによって、上段層Ｕと中段層Ｍと下段層Ｌを形成して構成される。また、八枚の軍手６は、八枚タオル群５１の上段層Ｕと中段層Ｍとの間（または中段層Ｍと下段層Ｌとの間）に、四組ずつに分けて並列に載置される。
【００３０】
第二ペア群３ｂは、第一ペア群３ａと同様に構成されるものであり、第一ペア群３ａの下に置かれ、七枚タオル群５２と七枚の軍手６とで構成される。七枚タオル群５２は、七枚重ねたタオル５を、長手方向に等間隔で設定した第一折り目Ｆ１と第二折り目Ｆ２で折ることによって、上段層Ｕと中段層Ｍと下段層Ｌを形成したものである。また、八組の軍手６は、七枚タオル群５２の上段層Ｕと中段層Ｍとの間に、四組と三組とに分けて並列に載置される。
【００３１】
包装材７は、外装として製品本体２を密に覆うものであり、本実施形態では、透明で非透水性であり、かつ、人の手によって容易に破ることのできる肉薄のビニール材で構成される。
【００３２】
なお、本実施形態の製品１は、製品本体２と包装材７との間に、当該製品１を紹介するための肉薄で紙製の表紙９を介在させている。この表紙９には、当該製品１が備蓄用のタオル５と軍手６であること、およびそれらの枚数および組数などが記載される。
【００３３】
第一実施形態に係る備蓄用圧縮固化製品１は、直方体形状に圧縮固化され、平面形状がＡ４用紙の大きさとほぼ等しいのでコンパクトである。従って、例えば、職場の書棚や机の中に、他のＡ４サイズの書類と共に収納することができ、これにより、不意に襲ってくる震災や台風などの災害に備えることができる。
【００３４】
また、この製品１は一枚のタオル５と一組の軍手６で構成されるペア４を複数設けて構成されるので、一つの製品１で複数人に対応することができる。従って、職場などの多くの人が集まる場所に備えるのに最適である。
【００３５】
さらに、この製品１は外装である包装材７を備えるので、タオル５と軍手６を傷めたり汚すことなく長期にわたって良好に保存することができる。
【００３６】
なお、この製品１は、製品本体２を第一ペア群３ａと第二ペア群３ｂとで構成し、第一ペア群３ａを八枚のタオル５と八組の軍手６で構成し、第二ペア群３ｂを七枚のタオル５と七組の軍手６で構成しているので１５人の使用に対応することができる。従って、この製品１を例えば二つ備えておくのみで、３０人という大人数の使用に対応することができる。
【００３７】
本考案に係る備蓄用圧縮固化製品１の第二実施形態を、図３、図４および図７に示す。この製品１は、直方体形状に圧縮固化され、平面形状が定形用紙であるＡ４用紙の大きさとほぼ等しいものであり、製品本体２と、一枚のバスタオル８と、包装材７とで構成される。
【００３８】
製品本体２は、一枚のタオル５と一組の軍手６とで構成されるペア４を、当該ペア４毎に複数組み合わせて形成したペア群３を、複数並べて構成される。本実施形態の製品本体２は三つのペア群３で構成され、各ペア群３は五つのペア４で構成される。
【００３９】
また、各ペア４は、一枚のタオル５を長手方向の中心で三回折って八層構造の折畳みタオル５ａとし、その該折畳みタオル５ａに一組の軍手６を短尺方向に並列に配置している。そして、折畳みタオル５ａの短尺方向の両端部をその中心に合わせるように折ることによって形成されている。
【００４０】
バスタオル８は、製品本体２のほぼ全体を覆う大きさを備える。また、包装材７は、外装としてバスタオル８を密に覆うもので、肉薄で透明のビニール材で構成される。また、本実施形態の製品１は、バスタオル８と包装材７との間に当該製品１を紹介するための表紙９を備える。
【００４１】
第二実施形態に係る備蓄用圧縮固化製品１は、第一実施形態と同様に、Ａ４サイズであるため書棚などに容易に収納することができ、従って、震災や台風などの災害に対応することができるといった効果を発揮する。
【００４２】
また、この製品１は、十五枚のタオル５と十五組の軍手６の他にバスタオル８を備えるので、このバスタオル８を例えばブランケットとして使用するなど、タオル５では対応が困難な状況において適宜使用することができる。
【００４３】
本考案に係る備蓄用圧縮固化製品１の第三実施形態を、図１、図２、図６および図８に示す。この製品１は、直方体形状に圧縮固化され、平面形状が定形用紙であるＢ４用紙の大きさとほぼ等しく、製品本体２と包装材７を備える。
【００４４】
製品本体２は、二つのペア群３で構成される。各ペア群３は、一枚のタオル５と一組の軍手６とで構成されるペア４を、タオル５毎および軍手６毎に複数組み合わせて形成されるもので、十枚タオル群５３と十組の軍手６とで構成される。
【００４５】
十枚タオル群５３は、十枚重ねたタオル５を、長手方向に沿って等間隔で設定した第一折り目Ｆ１と第二折り目Ｆ２で折ることによって、上段層Ｕと中段層Ｍと下段層Ｌを形成したものである。また、十組の軍手６は、十枚タオル群５３の上段層Ｕと中段層Ｍとの間に、四組と二つの三組とに分けた状態で並列に載置される。
【００４６】
包装体は、外装として製品本体２を密に覆うものであり、肉薄のビニール材で構成される。また、製品本体２と包装材７との間には、当該製品１を紹介するための表紙９が設けられる。
【００４７】
第三実施形態に係る備蓄用圧縮固化製品１も、第一実施形態および第二実施形態に係る製品１と同様に、コンパクトであり、書棚などに長期にわたって収納して、不意に襲ってくる災害に備えることができる。
【００４８】
また、この製品１は、二十枚のタオル５と二十組の軍手６で構成されるので、少ない備蓄数で、より多くの人の使用に対応することができる。
【００４９】
本考案に係る備蓄用圧縮固化製品１の第四実施形態を、図３、図４および図９に示す。この製品１も上記実施形態と同様に、直方体形状に圧縮固化され、平面形状が定形用紙であるＢ４用紙の大きさとほぼ等しく、製品本体２と、一枚のバスタオル８と、包装材７とを備える。
【００５０】
製品本体２は、一枚のタオル５と一組の軍手６とで構成されるペア４を、そのペア４毎に複数組み合わせて形成したペア群３を、複数並べて構成される。
【００５１】
本実施形態の製品本体２は、四つのペア群３で構成し、各ペア群３を五つのペア４で構成している。また、各ペア４は、一枚のタオル５を長手方向の中心で二回折って四層構造の折畳みタオル５ａとし、その折畳みタオル５ａに一組の軍手６を重ねた状態で長尺方向の中心部に配置した後、折畳みタオル５ａの短尺方向の両端部をその中心に合わせるように折ることによって形成したものである。
【００５２】
バスタオル８は、製品本体２のほぼ全体を覆う大きさを備える。また、外装材は、肉薄の透明ビニール材で構成され、バスタオル８を密に覆う。なお、本実施形態においても、バスタオル８と外装材との間に、当該製品１を紹介するための表紙９を設けている。
【００５３】
第四実施形態に係る備蓄用圧縮固化製品１は、第三実施携帯に係る製品１と同様に、コンパクトであるため長期にわたる保存が容易である。従って、震災などの災害時に極めて有効である。また、少ない備蓄数で、より多くの人の使用に対応することができる。
【符号の説明】
【００５４】
１      備蓄用圧縮固定製品
２      製品本体
３      ペア群
３ａ    第一ペア群
３ｂ    第二ペア群
４      ペア
５      タオル
５ａ    折畳みタオル
６      軍手
７      包装材
８      バスタオル
９      表紙
５１    八枚タオル群
５２    七枚タオル群
５３    十枚タオル群
Ｆ１    第一折り目
Ｆ２    第二折り目
Ｕ      上段層
Ｍ      中段層
Ｌ      下段層
【図１】
0003180613.tif 000003
【図２】
0003180613.tif 000004
【図３】
0003180613.tif 000005
【図４】
0003180613.tif 000006
【図５】
0003180613.tif 000007
【図６】
0003180613.tif 000008
【図７】
0003180613.tif 000009
【図８】
0003180613.tif 000010
【図９】
0003180613.tif 000011